(57)【要約】【課題】被写体に関する関連情報を容易に収集して、当該被写体の画像データとともに対応付けておけるようにする。【解決手段】被写体を含む画像を画像データとして撮像するデジタルカメラ２において、被写体を含む画像を画像データとして撮像するＣＣＤ３５と、被写体を撮像する際に、被写体に関する関連情報を受信するリーダ部２７と、画像データと関連情報とを対応付けて記憶媒体３６に記憶させる記憶制御部２１ｃとを有するように構成する。【選択図】図３
2010119125.tif 000002
【特許請求の範囲】
【請求項１】
被写体を含む画像を画像データとして撮像する撮像手段と、
前記被写体を撮像する際に、前記被写体に関する関連情報を受信する受信手段と、
前記画像データと前記関連情報とを対応付けて記憶手段に記憶させる記憶制御手段とを有する撮像装置。
【請求項２】
前記被写体を含む画像を撮像可能な領域には、当該領域において受信可能なように前記関連情報を送信する送信装置が備えられており、
前記受信手段は、前記送信装置により送信される前記関連情報を受信することを特徴とする請求項１に記載の撮像装置。
【請求項３】
前記被写体の各々は、自被写体に関する関連情報を送信する送信装置を有しており、
前記受信手段は、複数の前記送信装置により送信される前記関連情報を受信することを特徴とする請求項１に記載の撮像装置。
【請求項４】
前記受信手段は、前記関連情報とともに、当該関連情報と関連する前記被写体の外観の特徴を示す外観特徴情報とを受信し、
前記記憶制御手段は、前記画像データと、前記関連情報と、前記外観特徴情報とを対応付けて記憶手段に記憶させることを特徴とする請求項１乃至請求項３のいずれか一項に記載の撮像装置。
【請求項５】
前記受信手段は、前記関連情報と、当該関連情報と関連する前記被写体の外観の特徴を示す外観特徴情報とを受信し、
前記外観特徴情報に基づいて画像における前記被写体の位置を検出する位置検出手段を更に有し、
前記記憶制御手段は、前記関連情報と、前記位置を示す情報とを対応付けて記憶手段に記憶させることを特徴とする請求項１乃至請求項３のいずれか一項に記載の撮像装置。
【請求項６】
前記被写体は、人物であり、
前記外観特徴情報は、前記人物の顔に関する外観の特徴情報であることを特徴とする請求項３乃至請求項５のいずれか一項に記載の撮像装置。
【請求項７】
被写体を含む画像を撮像して記憶する撮像装置による撮像方法であって、
前記被写体を含む画像を画像データとして撮像する撮像ステップと、
前記被写体を撮像する際に、前記被写体に関する関連情報を受信する受信ステップと、
前記画像データと前記関連情報とを対応付けて記憶手段に記憶させる記憶制御ステップとを有する撮像方法。
【発明の詳細な説明】
【技術分野】
【０００１】
本発明は、被写体を含む画像を画像データとして撮像する撮像装置等に関する。
【背景技術】
【０００２】
従来、例えば、デジタルカメラによって被写体を撮像することによって、被写体を含む画像の画像データを取り込むことが行われている。このような、画像データを取り込むデジタルカメラには、例えば、画像データに、画像のタイトルを対応付けて記録しておくことのできるものもあるし、被写体を含む画像データに、画像処理に利用するための各種情報を関連付けて記録するものもある（例えば、特許文献１参照。）。
また、ＰＣ（Personal Computer）等の処理装置においては、上記した画像データを受け取って、編集、加工、修正等の処理をして、対応する画像をディスプレイに表示させている。また、プリンタにおいては、上記した画像データを受け取って、紙、ＯＨＰシート等の画像形成媒体に画像を形成することが行われている。
【先行技術文献】
【特許文献】
【０００３】
【特許文献１】特開２００３−２０４４５９号公報
【発明の概要】
【発明が解決しようとする課題】
【０００４】
上記したデジタルカメラにおいては、画像データとともに画像のタイトルを対応付けて記録しておくことができる。
しかしながら、画像のタイトルは、デジタルカメラの利用者が自身で入力する必要があり手間がかかるという問題がある。また、このようなタイトルのみでは、画像データの示す画像の被写体は、一体何（誰）であるのか等ということを明確にするのが困難である。例えば、被写体として複数の人が含まれている場合にあっては、各人が誰であるのかということを詳細に記憶させておくことは困難であるし、手間がかかるという問題がある。
【０００５】
撮影者であれば、画像データの画像を表示或いは印刷することにより、被写体が何であるかを自己の記憶等により把握することも可能であるかもしれない。
しかしながら、画像データは、撮影者と異なる人に渡されることもあり、撮影者と異なる人にとっては、画像データに基づいて表示或いは印刷して画像を見ただけでは、被写体が一体何であるのかということを把握することが困難である場合が考えられる。
また、撮影者であっても、時間の経過とともに記憶が薄れてしまって、表示又は印刷された画像の被写体が一体何（誰）であるのかを把握することが困難である場合も考えられる。
【０００６】
本発明は、上記課題に鑑みなされたものであり、その目的は、被写体に関する関連情報を容易に収集して、当該被写体の画像データとともに対応付けておくことのできる技術を提供することにある。
【課題を解決するための手段】
【０００７】
上記目的達成のため、本発明の一実施形態に係る撮像装置は、被写体を含む画像を画像データとして撮像する撮像手段と、被写体を撮像する際に、被写体に関する関連情報を受信する受信手段と、画像データと関連情報とを対応付けて記憶手段に記憶させる記憶制御手段とを有する。かかる構成によると、被写体に関する関連情報を容易に収集して、当該被写体の画像データとともに適切に対応付けて記憶することができる。
【０００８】
上記撮像装置において、被写体を含む画像を撮像可能な領域には、当該領域において受信可能なように関連情報を送信する送信装置が備えられており、受信手段は、送信装置により送信される関連情報を受信するようにしてもよい。かかる構成によると、撮像装置により撮像する際に、撮像する被写体に関する関連情報を容易かつ適切に収集することができる。
【０００９】
また、上記撮像装置において、被写体の各々は、自被写体に関する関連情報を送信する送信装置を有しており、受信手段は、複数の送信装置により送信される関連情報を受信するようにしてもよい。かかる構成によると、撮像装置により撮像する際に、撮像する被写体の送信装置から当該被写体に関する関連情報を容易かつ適切に収集することができる。
また、上記撮像装置において、受信手段は、関連情報とともに、当該関連情報と関連する被写体の外観の特徴を示す外観特徴情報とを受信し、記憶制御手段は、画像データと、関連情報と、外観特徴情報とを対応付けて記憶手段に記憶させるようにしてもよい。かかる構成によると、画像データと、関連情報と、外観特徴情報とを対応付けて記憶することができ、外観特徴情報を利用して画像データから被写体を認識することができる。
【００１０】
また、上記撮像装置において、受信手段は、関連情報と、当該関連情報と関連する被写体の外観の特徴を示す外観特徴情報とを受信し、外観特徴情報に基づいて画像における被写体の位置を検出する位置検出手段を更に有し、記憶制御手段は、関連情報と、位置を示す情報とを対応付けて記憶手段に記憶させるようにしてもよい。かかる構成によると、位置情報に基づいて、画像中の被写体の位置を容易に把握することができる。
また、上記撮像装置において、被写体は、人物であり、外観特徴情報は、人物の顔に関する外観の特徴情報であってもよい。かかる構成によると、外観特徴情報に基づいて画像中の人物を適切に認識することができる。
【００１１】
本発明の一実施形態に係る撮像方法は、被写体を含む画像を撮像して記憶する撮像装置による撮像方法であって、記被写体を含む画像を画像データとして撮像する撮像ステップと、被写体を撮像する際に、被写体に関する関連情報を受信する受信ステップと、画像データと関連情報とを対応付けて記憶手段に記憶させる記憶制御ステップとを有する。
かかる方法によると、被写体に関する関連情報を容易に収集して、当該被写体の画像データとともに適切に対応付けて記憶することができる。
【図面の簡単な説明】
【００１２】
【図１】本発明の第１実施形態に係る被写体情報取得表示システムの構成図である。
【図２】本発明の実施形態に係るＲＦタグの構成図である。
【図３】本発明の第１実施形態に係るデジタルカメラの機能構成図である。
【図４】本発明の実施形態における位置関係、表示状態及び印刷状態の一例を説明する図である。
【図５】本発明の第１実施形態に係る被写体用のＲＦタグの記憶内容を示す図である。
【図６】本発明の実施形態に係る複合画像データを示す図である。
【図７】本発明の第１実施形態に係るプリンタの機能構成図である。
【図８】本発明の実施形態に係る用紙用のＲＦタグの記憶内容を示す図である。
【図９】本発明の一実施形態に係るプリンタのハードウエア構成を説明する図である。
【図１０】本発明の第１実施形態に係る携帯電話機の機能構成図である。
【図１１】本発明の第１実施形態に係るデジタルカメラの撮像処理を説明するフローチャートである。
【図１２】本発明の第１実施形態に係るプリンタの画像形成処理を説明するフローチャートである。
【図１３】本発明の第１実施形態に係る携帯電話機の表示処理を説明するフローチャートである。
【図１４】本発明の第２実施形態に係る携帯電話機の機能構成図である。
【図１５】本発明の第２実施形態に係るプリンタの画像形成処理を説明するフローチャートである。
【図１６】本発明の第２実施形態に係る携帯電話機の表示処理を説明するフローチャートである。
【図１７】本発明の第３実施形態に係るプリンタの画像形成処理を説明するフローチャートである。
【図１８】本発明の第４実施形態に係るデジタルカメラの機能構成図である。
【図１９】本発明の第４実施形態に係るデジタルカメラの撮像処理を説明するフローチャートである。
【図２０】本発明の変形例に係る位置関係、表示状態及び印刷状態を説明する図である。
【図２１】本発明の変形例に係る被写体用のＲＦタグの記憶内容を示す図である。
【発明を実施するための形態】
【００１３】
本発明の実施形態について、図面を参照して説明する。なお、以下に説明する実施形態は特許請求の範囲にかかる発明を限定するものではなく、また実施形態の中で説明されている特徴の組合せの全てが発明の解決手段に必須であるとは限らない。
【００１４】
本発明の第１実施形態に係る被写体情報取得表示システム１の構成について説明する。
図１は、本発明の第１実施形態に係る被写体情報取得表示システムの構成図である。
被写体情報取得表示システム１は、撮像装置の一例としてのデジタルカメラ２と、被写体情報表示システム３とを有する。
デジタルカメラ２は、被写体Ｓを撮像して画像データを撮像するとともに、被写体Ｓの関連情報を記憶している被写体用のＲＦタグＳＴから被写体Ｓに関する関連情報を受信する後述する撮像処理を行う。ここで、ＲＦタグＳＴは、例えば、被写体Ｓの内部に埋め込んだり、被写体Ｓに付着させたり、または、被写体Ｓに所持させるようにしてもよい。
【００１５】
被写体情報表示システム３は、画像形成システムの一例としてのプリンタ４と、表示処理装置の一例としての携帯電話機５とを有する。
プリンタ４は、デジタルカメラ２と、例えば、ＵＳＢ（Universal Serial Bus）ケーブル４によって接続可能となっており、デジタルカメラ２から画像データ及び関連情報を含む統合画像データを受信する。また、プリンタ４は、紙、ＯＨＰ用紙等の画像形成媒体（用紙Ｐという。）に画像データに基づいて画像を形成するとともに、用紙Ｐに用紙付加用のＲＦタグＴを付加するとともに、ＲＦタグＴに関連情報を書き込む後述する画像形成処理を行う。
携帯電話機５は、用紙Ｐに付加されたＲＦタグＴから関連情報を受信して表示する後述する表示処理を行う。
【００１６】
図２は、本発明の第１実施形態に係るＲＦタグの構成図である。
図２（１）は、被写体用のＲＦタグＳＴを示し、図２（２）は、用紙Ｐに付加するための用紙用のＲＦタグＴを示している。
被写体用のＲＦタグＳＴは、図２（１）に示すように、例えば、カード形状をしており、ＩＣチップ６と、無線波によりデータを送受信するためのアンテナ７とを有する。ＩＣチップ６は、データを記憶する記憶部と、アンテナ７を介して外部へデータを送信する送信部と、アンテナ７を介して外部からデータを受信する受信部とを有する。
本実施形態においては、ＲＦタグＳＴは、例えば、通信周波数は２．４５ＧＨｚであり、１０ｍ程度の距離の通信を行うことができるようになっている。
【００１７】
用紙用のＲＦタグＴは、図２（２）に示すように、ＩＣチップ８と、無線波によりデータを送受信するためのアンテナ９とを有する。本実施形態のＲＦタグＴにおいては、ＩＣチップ８上にアンテナ９が形成されており、ＩＣチップ８とアンテナ９とは、端子１０ａ及び１０ｂによって接続されている。ＩＣチップ８は、データを記憶する記憶部と、アンテナ９を介して外部へデータを送信する送信部と、アンテナ９を介して外部からデータを受信する受信部とを有する。
本実施形態のＲＦタグＴは、例えば、０．５ｍｍ×０．５ｍｍの大きさとなっており、いる。また、ＲＦタグＴの紙面手前側の面には、用紙Ｐに付着するための図示しない粘着剤が塗布されており、当該面を向けて用紙Ｐに付着できるようになっている。
【００１８】
図３は、本発明の第１実施形態に係るデジタルカメラの機能構成図である。
デジタルカメラ２において、ＣＰＵ（Central Processing Unit）２１と、ＲＯＭ（Read Only Memory）２２と、ＲＡＭ（Random Access Memory）２３と、ＥＥＰＲＯＭ（Electrically Erasable Programmable Read‐Only Memory）２４と、入力インターフェース部（入力Ｉ／Ｆ部）２５と、表示処理部２６と、リーダ部２７と、撮像処理部２８と、記憶媒体インターフェース部（記憶媒体Ｉ／Ｆ部）２９と、ＵＳＢインターフェース部（ＵＳＢＩ／Ｆ部）３０とがバス３１を介して接続されている。
【００１９】
ＲＯＭ２２は、ブートプログラム等のプログラムや、後述する撮像処理のプログラムを記憶する。
ＲＡＭ２３は、プログラムやデータを記憶する領域として、或いは、ＣＰＵ２１による処理に使用しているデータを格納する作業領域として利用される。
ＥＥＰＲＯＭ２４は、書き換え可能な不揮発性メモリであり、デジタルカメラ２の電源が入っていない場合でも記憶しておく必要がある各種情報を記憶する。
【００２０】
入力Ｉ／Ｆ部２５は、シャッターボタン、各種指示ボタン等が備えられた入力装置３２と接続されている。入力Ｉ／Ｆ部２５は、入力装置３２からの信号をデータとして、ＣＰＵ２１に出力する。
表示処理部２６は、例えば、ＶＲＡＭ（Video Random Access Memory）を有し、ＣＰＵ２１の制御により、液晶表示装置（ＬＣＤ）３３に各種情報を表示出力する。
【００２１】
リーダ部２７は、被写体ＳのＲＦタグＳＴから内部に記憶されている情報を受信する。
本実施形態においては、リーダ部２７は、デジタルカメラ２における撮影範囲内に対して指向性をもつ図示しないアンテナを有しており、その範囲内に存在する被写体ＳのＲＦタグＳＴから各種情報を受信する。
ここで、リーダ部２７によるＲＦタグＳＴからの情報の受信について説明する。
図４（１）は、デジタルカメラ２と被写体の一例である人物との位置関係の一例を示している。同図に示すように、デジタルカメラ２の撮影範囲内において、人物である被写体Ｓａ、Ｓｂ、Ｓｃが存在し、各被写体Ｓａ、Ｓｂ、Ｓｃは、それぞれＲＦタグＳＴを有している状態を示している。本実施形態では、リーダ部２７は、図４（１）に示す状態においては、デジタルカメラ２の撮影範囲内に存在する被写体Ｓａ、Ｓｂ、ＳｃのそれぞれのＲＦタグＳＴから各種情報を受信する。
【００２２】
図５は、本発明の第１実施形態に係る被写体用のＲＦタグの記憶内容を示す図である。
図５は、被写体が人物である場合におけるＲＦタグＳＴの記憶内容を示している。ＲＦタグＳＴは、外部特徴情報１１と、関連情報１２と、開示規定情報１３とを記憶している。
外部特徴情報１１は、被写体について外部から認識可能な特徴の情報（外観特徴情報）である。本実施形態では、人物の顔に関する外観特徴情報としている。本実施形態では、人物の顔に関する外観特徴情報として、顔の画像データ（顔データ）を用いている。なお、外部特徴情報は、例えば、顔の輪郭情報、顔の画像、顔の色、目の色、目の形状、顔の特徴点（例えば、目、鼻等）等のいずれか１つ、又はこれらの２つ以上の組合せであってもよい。また、例えば、輪郭情報、顔の画像等の観察する方向によって変化する可能性のある情報については、複数の方向から観察される情報を用意するようにしてもよい。このようにすると、画像中における被写体の向きによる影響を受けることなく、適切に被写体を検出することができる。
【００２３】
関連情報１２は、被写体に関する情報である。本実施形態では、関連情報１２として、被写体Ｓの名前１２ａ、住所１２ｂ、電話番号１２ｃ、メールアドレス１２ｄを用いている。
開示規定情報１３は、関連情報１２の中の開示可能な内容を規定する情報である。本実施形態では、レベル数を用いて開示可能な内容を規定するようにしている。具体的には、レベル１であれば、関連情報１２中の全内容を開示可能であることを示し、レベル２であれば、一部の内容、例えば、名前のみを開示可能であることを示し、レベル３であれば、すべての情報を開示しないことを示している。なお、このレベル数については、被写体Ｓが、所定の装置を利用して、任意に設定することができるようになっている。
【００２４】
図３に戻り、撮像処理部２８には、ＣＣＤ（Charge Coupled Device）３５が接続されている。ＣＣＤ３５の受光面上には、レンズ、絞り機構等からなる光学系３４を介して被写体Ｓを含む外界の像が形成され、ＣＣＤ３５は、受光面上に形成された像に応じた信号を撮像処理部２８に出力する。撮像処理部２８は、ＣＣＤ３５から出力された信号を画像データとしてＣＰＵ２１に出力する。ここで、図４（１）に示す状態である場合には、図４（２）に示すような画像Ｇに対応する画像データを出力する。なお、撮像手段は、光学系３４、ＣＣＤ３５及び撮像処理部２８によって構成される。
【００２５】
記憶媒体Ｉ／Ｆ部２９は、フラッシュメモリ等の記憶手段の一例としての記憶媒体３６と接続可能であり、記憶媒体３６へのデータ書込み及び記憶媒体３６からのデータ読込みの仲介を行う。
ＵＳＢＩ／Ｆ部３０は、図示しないＵＳＢケーブルを介して、プリンタ４と接続可能であり、プリンタ４との間のデータ交換の仲介を行う。
【００２６】
ＣＰＵ２１は、各部２２〜３０の動作を制御する。また、ＣＰＵ２１は、ＲＯＭ２２に格納されているプログラムをＲＡＭ２３に読み出して実行することにより、撮像制御部２１ａ、読込制御部２１ｂ、記憶制御手段の一例としての記憶制御部２１ｃ、表示制御部２１ｄ、及び通信制御部２１ｅを構成して各種処理を実行する。
撮像制御部２１ａは、入力装置３２のシャッターボタンがデジタルカメラ２の利用者により押下された場合に、撮像処理部２８により画像データを生成させる。
読込制御部２１ｂは、入力装置３２のシャッターボタンがデジタルカメラ２の利用者により押下された場合に、リーダ部２７によりＲＦタグＳＴからの情報を受信させる。
【００２７】
記憶制御部２１ｃは、撮像処理部２８により生成された画像データと、リーダ部２７により受信されたＲＦタグＳＴからの情報とを対応付けた統合画像データ３７（図６（１）参照）を記憶媒体Ｉ／Ｆ部２９を介して記憶媒体３６に記憶させる。
【００２８】
図６は、本発明の実施形態に係る統合画像データを示す図である。
図６（１）は、第１実施形態における統合画像データを示している。
統合画像データ３７は、画像データ３８を有するとともに、各被写体のＲＦタグＳＴから得られた外観特徴情報３９ａ、３９ｂ、・・・、関連情報４０ａ、４０ｂ・・・、及び開示規定情報４１ａ、４１ｂ、・・・を有する。
【００２９】
図３に戻り、表示制御部２１ｄは、表示処理部２６を介して各種情報をＬＣＤ３３に表示させる。例えば、表示制御部２１ｄは、記憶媒体３６に記憶された画像データ、又は撮像処理部２８により生成された画像データをＬＣＤ３３に表示させる。
通信制御部２１ｅは、記憶媒体３６に記憶されている統合画像データ３７をＵＳＢＩ／Ｆ部３０を介して、外部の装置、例えばプリンタ４に出力する。
【００３０】
図７は、本発明の第１実施形態に係るプリンタの機能構成図である。
プリンタ４において、ＣＰＵ５０と、通信インターフェース部（通信Ｉ／Ｆ部）５１と、ＲＯＭ５２と、画像データ記憶手段及び被写体情報記憶手段の一例としてのＲＡＭ５３と、ＥＥＰＲＯＭ５４と、機構制御部５５とがバス５６を介して接続されている。
【００３１】
通信Ｉ／Ｆ部５１は、例えば、ＵＳＢケーブルを介してデジタルカメラ２との間のデータ交換の仲介を行う。
ＲＯＭ５２は、ブートプログラム等のプログラムや、後述する画像形成処理等のプログラムを記憶する。
ＲＡＭ５３は、プログラムやデータを記憶する領域として、或いは、ＣＰＵ５０による処理に使用しているデータを格納する作業領域として利用される。また、ＲＡＭ５３は、統合画像データ３７を記憶する。
ＥＥＰＲＯＭ５４は、書き換え可能な不揮発性メモリであり、プリンタ４の電源が入っていない場合でも記憶しておく必要がある各種情報を記憶する。
【００３２】
機構制御部５５には、画像形成手段の一例としての印刷機構部５７及びＲＦタグ機構部５８が接続される。機構制御部５５は、印刷機構部５７の動作を制御することにより、用紙Ｐに画像を形成させる。また、機構制御部５５は、ＲＦタグ機構部５８により、ＲＦタグＴにデータを書き込ませる処理と、用紙ＰにＲＦタグＴを付加させる処理を実行させる。
【００３３】
印刷機構部５７は、トナー像を形成させるための感光体ドラム５９Ｙ、５９Ｍ、５９Ｋ、５９Ｃ（図９参照。）を有する感光体ユニット５９と、感光体ドラム５９Ｙ、５９Ｍ、５９Ｋ、５９Ｃに静電潜像を形成するためのレーザ光を照射する露光ユニット６０と、感光体ドラム５９Ｙ、５９Ｍ、５９Ｋ、５９Ｃに形成された静電潜像をトナーによって現像することによってトナー像を形成する現像ユニット６１と、感光体ドラム５９Ｙ、５９Ｍ、５９Ｋ、５９Ｃに形成されたトナー像を用紙Ｐに転写する転写ユニット６２と、用紙Ｐに転写されたトナー像を定着させる定着ユニット６３と、用紙Ｐの給排紙を行う給排紙ユニット６４とを有する。
【００３４】
ＲＦタグ機構部５８は、ＲＦタグＴを用紙Ｐに付加するＲＦタグ付加手段の一例としてのＲＦタグ付加部６５と、ＲＦタグＴにデータを書き込む書込手段の一例としてのリーダ・ライタ部６６とを有する。ＲＦタグ付加部６５は、本実施形態では、用紙Ｐの所定の位置に、用紙Ｐの画像が形成される面の裏側からＲＦタグＴを付加する。
【００３５】
ＣＰＵ５０は、各部５１〜５５の動作を制御する。また、ＣＰＵ５０は、ＲＯＭ５２に格納されているプログラムをＲＡＭ５３に読み出して実行することにより、通信制御部５０ａと、検出手段の一例としての検出部５０ｂと、関連情報検出手段の一例としての関連情報検出部５０ｃと、印刷制御部５０ｄとを構成して各種処理を実行する。
通信制御部５０ａは、通信Ｉ／Ｆ部５１を介してデジタルカメラ２から受信した統合画像データ３７をＲＡＭ５３に格納する。
【００３６】
検出部５０ｂは、ＲＡＭ５３に格納された統合画像データ３７中の画像データが示す画像中における被写体の位置を外観特徴情報に基づいて検出する。本実施形態では、検出部５０ｂは、顔データと、画像データとのマッチングにより被写体の位置を検出する。すなわち、検出部５０ｂは、顔データと、画像データの各領域との相関度を検出し、相関度が所定以上の位置を被写体の位置と検出する。なお、画像データ中における顔の大きさは、画像データによって異なることがあるので、顔データと比較するための画像データの領域の大きさを複数通りに異ならせて、それぞれの大きさの領域を用いて、相関度を検出するようにしてもよい。
関連情報検出部５０ｃは、画像中において存在すると検出された被写体についての関連情報をＲＡＭ５３の統合画像データ３７から検出する。
【００３７】
印刷制御部５０ｄは、ＲＡＭ５３に格納された統合画像データ３７の画像データをＣＭＹＫラスタイメージデータに変換し、当該イメージデータに基づいて、機構制御部５５を制御することにより、印刷機構部５７に用紙Ｐへ画像を形成させる。また、印刷制御部５０ｄは、機構制御部５５を制御することにより、ＲＦタグ機構部５８に、検出部５０ｂにより検出された被写体の位置に対応する用紙Ｐ上の位置にＲＦタグＴを付加させる。
また、印刷制御部５０ｄは、機構制御部５５を制御することにより、ＲＦタグ機構部５８のリーダ・ライタ部６６にＲＦタグＴへ所定のデータを書き込ませる。
【００３８】
図８は、本発明の実施形態に係る用紙用のＲＦタグの記憶内容を示す図である。
図８（１）は、第１実施形態において、リーダ・ライタ部６６によりＲＦタグＴに書き込まれる被写体データを示している。ＲＦタグＴには、図８（１）に示すように、当該ＲＦタグＴが付加される領域の被写体に関する関連情報６８と、当該関連情報６８に対応する開示規定情報６９とを有する被写体データ６７が書き込まれる。
【００３９】
図９は、本発明の一実施形態に係るプリンタのハードウエア構成を説明する図である。
プリンタ４の感光体ユニット５９は、イエローのトナー像を形成するための感光体ドラム５９Ｙと、マゼンタのトナー像を形成するための感光体ドラム５９Ｍと、ブラックのトナー像を形成するための感光体ドラム５９Ｋと、シアンのトナー像を形成するための感光体ドラム５９Ｃとを有する。各感光体ドラム５９Ｙ、５９Ｍ、５９Ｋ、５９Ｃは、時計回り方向に回転するようになっている。
【００４０】
感光体ユニット５９において、各感光体ドラム５９Ｙ、５９Ｍ、５９Ｋ、５９Ｃに接触するように、各感光体ドラム５９Ｙ、５９Ｍ、５９Ｋ、５９Ｃを帯電させる帯電ローラ７３Ｙ、７３Ｍ、７３Ｋ、７３Ｃと、一次中間転写ドラム６２Ａ、６２Ｂに転写されずに各感光体ドラム５９Ｙ、５９Ｍ、５９Ｋ、５９Ｃ上に残留したトナーを回収するクリーニングローラ７４Ｙ、７４Ｍ、７４Ｋ、７４Ｃとを有する。なお、図９においては、帯電ローラ７３Ｍ、７３Ｋ、７３Ｃ、及びクリーニングローラ７４Ｍ、７４Ｋ、７４Ｃについては、図面スペースの関係上符号を記載していないが、これらは、各感光体ドラム５９Ｍ、５９Ｋ、５９Ｃとの位置関係が、感光体ドラム５９Ｙと帯電ローラ７３Ｙ及びクリーニングローラ７４Ｙとの位置関係と同様となっている。
【００４１】
また、プリンタ４には、各感光体ドラム５９Ｙ、５９Ｍ、５９Ｋ、５９Ｃに、静電潜像を形成するためのレーザ光を照射する露光ユニット６０が設けられている。
露光ユニット６０は、イエロー用のトナー像を形成させるための静電潜像を形成するためのイエロー用のレーザ光ＬＹを感光体ドラム５９Ｙに照射し、マゼンタ用のトナー像を形成させるための静電潜像を形成するためのマゼンタ用のレーザ光ＬＭを感光体ドラム５９Ｍに照射し、ブラック用のトナー像を形成させるための静電潜像を形成するためのブラック用のレーザ光ＬＫを感光体ドラム５９Ｋに照射し、シアン用のトナー像を形成させるための静電潜像を形成するためのシアン用のレーザ光ＬＣを感光体ドラム５９Ｃに照射する。各色用のレーザ光ＬＹ、ＬＭ、ＬＫ、ＬＣは、機構制御部５５の制御に従って露光ユニット６０から所定のタイミングでそれぞれ照射される。
【００４２】
また、プリンタ４には、感光体ドラム５９Ｙ、５９Ｍ、５９Ｋ、５９Ｃに形成された静電潜像をトナーによって現像してトナー像を形成するための現像ユニット６１が設けられている。現像ユニット６１は、イエローのトナーを収容し、イエローのトナー像を形成するための現像器６１Ｙと、マゼンタのトナーを収容し、マゼンタのトナー像を形成するための現像器６１Ｍと、ブラックのトナーを収容し、ブラックのトナー像を形成するための現像器６１Ｋと、シアンのトナーを収容し、シアンのトナー像を形成するための現像器６１Ｃとを有する。
各現像器６１Ｙ、６１Ｍ、６１Ｋ、６１Ｃは、各感光体ドラム５９Ｙ、５９Ｍ、５９Ｋ、５９Ｃのレーザ光ＬＹ、ＬＭ、ＬＫ、ＬＣが照射される走査領域より回転方向の下流側の位置において、当該感光体ドラム５９Ｙ、５９Ｍ、５９Ｋ、５９Ｃと接触するように配置されている。
【００４３】
現像器６１Ｙは、イエローのトナーを収容しているトナーカートリッジ７１Ｙと、トナー給送管７２Ｙを介して接続されている。トナー給送管７２Ｙは、内部に図示しないトナー搬送用のスクリューフィーダを備えており、図示しないモータによる駆動力により当該スクリューフィーダが回転されて、トナーカートリッジ７１Ｙに収容されているトナーが現像器６１Ｙへ供給される。
同様に、現像器６１Ｍ、６１Ｋ、６１Ｃも、それぞれマゼンタ、ブラック、シアンが収容されているトナーカートリッジ７１Ｍ、７１Ｋ、７１Ｃと、トナー給送管７２Ｍ、７２Ｋ、７２Ｃと接続されている。なお、トナー給送管７２Ｍ、７２Ｋ、７２Ｃもトナー給送管７２Ｙと同様な構成となっている。
【００４４】
また、プリンタ４には、感光体ドラム５９Ｙ、５９Ｍ、５９Ｋ、５９Ｃに形成されたトナー像を用紙Ｐに転写する転写ユニット６２が設けられている。
転写ユニット６２は、感光体ドラム５９Ｙ、５９Ｍに形成されたイエローのトナー像と、マゼンタのトナー像とが転写される一次中間転写ドラム６２Ａと、感光体ドラム５９Ｋ、５９Ｃに形成されたブラックのトナー像と、シアンのトナー像とが転写される一次中間転写ドラム６２Ｂと、一次中間転写ドラム６２Ａ、６２Ｂに転写された、イエローのトナー像と、マゼンタのトナー像と、ブラックのトナー像と、シアンのトナー像とが転写される二次中間転写ドラム６２Ｃと、二次中間転写ドラム６２Ｃに形成されたトナー像を給排紙ユニット６４により給紙された用紙Ｐに転写するための転写ローラ６２Ｄとを有する。
【００４５】
一次中間転写ドラム６２Ａは、反時計回り方向に回転するようになっており、感光体ドラム５９Ｙ、５９Ｍとは、現像器６１Ｙ、６１Ｍによるトナー像の形成が行われる領域よりも、感光体ドラム５９Ｙ、５９Ｍの回転方向下流側において接触するようになっている。
一次中間転写ドラム６２Ｂは、反時計回り方向に回転するようになっており、感光体ドラム５９Ｋ、５９Ｃとは、現像器６１Ｋ、６１Ｃによるトナー像の形成が行われる領域よりも、感光体ドラム５９Ｋ、５９Ｃの回転方向下流側において接触するようになっている。
二次中間転写ドラム６２Ｃは、時計回り方向に回転するようになっており、一次中間転写ドラム６２Ａ、６２Ｂと接触するようになっている。
【００４６】
カラー印刷時においては、一次中間転写ドラム６２Ａには、感光体ドラム５９Ｍに形成されたマゼンタのトナー像の転写が開始され、その後、当該マゼンタのトナー像よりも外側に、画像における位置が一致するタイミングで、感光体ドラム５９Ｙに形成されたイエローのトナー像の転写が開始される。
一方、一次中間転写ドラム６２Ｂには、感光体ドラム５９Ｃに形成されたシアンのトナー像の転写が開始され、その後、当該シアンのトナー像よりも外側に、画像における位置が一致するタイミングで、感光体ドラム５９Ｋに形成されたブラックのトナー像の転写が開始される。
そして、二次中間転写ドラム６２Ｃには、一次中間転写ドラム６２Ａに転写されたマゼンタのトナー像と、イエローのトナー像との転写が開始される。これによって、二次中間転写ドラム６２Ｃには、ドラム内部側から、イエロー、マゼンタの順にトナー像が重ねあわされる。
【００４７】
次いで、二次中間転写ドラム６２Ｃには、イエロー、マゼンタの順に重ねあわされたトナー像の外側に、画像における位置が一致するタイミングで一次中間転写ドラム６２Ｂに転写されたシアンのトナー像と、ブラックのトナー像との転写が開始される。これによって、二次中間転写ドラム６２Ｃには、イエロー、マゼンタの順に重ねあわされたトナー像の外側に、ブラック、シアンのトナー像が重ねあわされて転写される。
【００４８】
給排紙ユニット６４は、用紙Ｐを収容する用紙カセット７５、用紙カセット７５に収容された用紙Ｐを画像形成を行う側に給紙する給紙ローラ部７６、印刷後の用紙Ｐが排紙される排紙トレイ８０、排紙トレイ８０へ用紙Ｐを排紙する排紙ローラ部７９、用紙Ｐを搬送する複数のローラ部７７、７８等を有し、用紙カセット７５に収容された用紙Ｐを、図中破線で示す搬送経路Ｒに沿って排紙トレイ８０へ搬送する。なお、図面奥行き方向を主走査方向といい、用紙が搬送される方向を副走査方向ということとする。
【００４９】
給排紙ユニット６４により、用紙カセット７５に収容された用紙Ｐは、給紙ローラ部７６、ローラ部７７によって、転写ローラ６２Ｄまで搬送され、転写ローラ６２Ｄにより第２中間転写ドラム６２Ｃ上に形成されているイエロー、マゼンタ、ブラック、シアンのトナー像が用紙Ｐに転写される。
【００５０】
トナー像の転写が行われた用紙Ｐは、給排紙ユニット６４により、さらに後段の定着ユニット６３まで搬送される。定着ユニット６３は、例えば、熱と圧力とをトナー像が転写された用紙Ｐに与えて、トナー像を用紙Ｐに定着させる。
次いで、トナー像が定着された用紙Ｐは、ＲＦタグ機構部５８まで搬送される。ＲＦタグ機構部５８においては、図示しないセンサによって用紙Ｐを検出し、用紙Ｐの送り量に基づいて、用紙Ｐにおける副走査方向の座標を検出するようにしている。
【００５１】
ＲＦタグ機構部５８においては、機構制御部５５による制御により、ＲＦタグ付加部６５が、検出部５０ｂによって検出された被写体の位置にＲＦタグＴを用紙Ｐの画像が形成された面の裏側に付加する。本実施形態では、ＲＦタグ付加部６５は、ＲＦタグＴの粘着剤側の面を用紙Ｐに向けた状態で、ＲＦタグＴを押下して用紙Ｐに付加する。なお、ＲＦタグ付加部６５は、付加するＲＦタグＴを用紙Ｐの主走査方向に対して移動可能になっており、主走査方向のいずれの位置に対してもＲＦタグＴを付加することができるようになっている。また、機構制御部５５による制御により、リーダ・ライタ部６６がＲＦタグＴの付加された位置の被写体の関連情報等を当該ＲＦタグＴに書き込む。
これによって、被写体の位置にＲＦタグＴを付加するとともに、ＲＦタグＴに当該被写体の関連情報を書き込むことができる。
【００５２】
図４（３）は、図４（１）に示すような状態にある被写体について、上記のように画像が形成され、ＲＦタグＴが付加された用紙Ｐを示している。
同図に示すように、用紙Ｐには、被写体Ｓａ、Ｓｂ、Ｓｃの画像が形成され、これら被写体Ｓａ、Ｓｂ、Ｓｃの位置（本実施形態では、被写体の顔部分）に対応してＲＦタグＴが付加されている。そして、各被写体Ｓａ、Ｓｂ、Ｓｃの位置に付加されたＲＦタグＴには、それぞれの被写体Ｓａ、Ｓｂ、Ｓｃの関連情報等が書き込まれている。
このように、被写体の位置にＲＦタグＴを付加するとともに、ＲＦタグＴに当該被写体の関連情報を書き込むことができるので、被写体の位置のＲＦタグＴから当該被写体の関連情報を容易かつ適切に読み取ることができるようになる。
このように、ＲＦタグＴが付加された用紙Ｐは、給排紙ユニット６４の排紙ローラ部７９により排紙トレイ８０へ排紙される。
【００５３】
図１０は、本発明の第１実施形態に係る携帯電話機の機能構成図である。
携帯電話機５において、ＣＰＵ８１と、ＲＯＭ８２と、ＲＡＭ８３と、ＥＥＰＲＯＭ８４と、入力Ｉ／Ｆ部８５と、表示処理部８６と、リーダ部８７と、撮像処理部８８と、通話機能部８９と、通信機能部９０とがバス９１を介して接続されている。
【００５４】
ＲＯＭ８２は、ブートプログラム等のプログラムや、後述する表示処理のプログラムを記憶する。
ＲＡＭ８３は、プログラムやデータを記憶する領域として、或いは、ＣＰＵ８１による処理に使用しているデータを格納する作業領域として利用される。
ＥＥＰＲＯＭ８４は、書き換え可能な不揮発性メモリであり、携帯電話機５の電源が入っていない場合でも記憶しておく必要がある各種情報を記憶する。
【００５５】
入力Ｉ／Ｆ部８５は、各種キーが備えられた入力装置９２と接続されている。入力Ｉ／Ｆ部８５は、入力装置９２からの信号をデータとして、ＣＰＵ８１に出力する。
表示処理部８６は、例えば、ＶＲＡＭを有し、ＣＰＵ８１の制御により、ＬＣＤ９３に各種情報を表示出力する。
【００５６】
リーダ部８７は、用紙Ｐに付加されているＲＦタグＴから内部に記憶されている情報を受信する。本実施形態においては、リーダ部８７は、携帯電話機５を用紙Ｐの画像の被写体にかざすことにより、当該被写体の位置に付加されているＲＦタグＴから内部に記憶されている情報を受信するようになっている。なお、本実施形態では、ＬＣＤ９３に被写体を表示させている場合において、当該被写体の位置にあるＲＦタグＴから内部の情報を受信可能なようになっている。
【００５７】
撮像処理部８８には、ＣＣＤ９５が接続されている。ＣＣＤ９５の受光面上には、レンズ、絞り機構等からなる光学系９４を介して外界の像が形成され、ＣＣＤ９５は、受光面上に形成された像に応じた信号を撮像処理部８８に出力する。撮像処理部８８は、ＣＣＤ９５から出力された信号を画像データとしてＣＰＵ８１に出力する。
【００５８】
通話機能部８９は、通話回線網を介しての通話を可能にする。
通信機能部９０は、データネットワークを介してデータ通信を行う。
【００５９】
ＣＰＵ８１は、各部８２〜９０の動作を制御する。また、ＣＰＵ８１は、ＲＯＭ８２に格納されているプログラムをＲＡＭ８３に読み出して実行することにより、撮像制御部８１ａ、受信制御部８１ｂ、表示制御部８１ｃ、通信制御部８１ｄを構成して各種処理を実行する。
撮像制御部８１ａは、入力装置９２の所定のキーが利用者により押下された場合に、撮像処理部８８により画像データを生成させる。
受信制御部８１ｂは、入力装置９２の所定のキーが利用者により押下された場合に、リーダ部８７によりＲＦタグＴからの情報を受信させる。
【００６０】
表示制御部８１ｃは、撮像処理部８８により生成された画像データを、表示処理部８６を介してＬＣＤ９３に表示させる。また、表示制御部８１ｃは、リーダ部８７により受信されたＲＦタグＴからの情報を、表示処理部８６を介してＬＣＤ９３に表示させる。
通信制御部８１ｄは、通信機能部９０によるデータネットワークを介しての通信を制御する。
【００６１】
次に、本発明の第１実施形態に係る被写体情報取得表示システム１の処理動作について説明する。
図１１は、本発明の第１実施形態に係るデジタルカメラの撮像処理を説明するフローチャートである。
デジタルカメラ２において、撮像制御部２１ａは、入力装置３２のシャッターボタンがデジタルカメラ２の利用者により押下された場合に、撮像処理部２８により、光学系３４及びＣＣＤ３５によって生成された信号から被写体を含む外界についての画像データを生成させ（ステップＳ１）、読込制御部２１ｂは、リーダ部２７により被写体ＳのＲＦタグＳＴから記憶している情報、すなわち、外観特徴情報、関連情報、及び開示規定情報を受信させる（ステップＳ２）。この際には、読込制御部２１ｂは、複数の被写体ＳのＲＦタグＳＴがある場合には、これら各ＲＦタグＳＴからの情報を受信させる。
次いで、記憶制御部２１ｃは、撮像処理部２８により生成された画像データと、リーダ部２７により受信されたＲＦタグＳＴからの外観特徴情報、関連情報、及び開示規定情報とを対応付けた統合画像データ３７を記憶媒体Ｉ／Ｆ部２９を介して記憶媒体３６に記憶させる（ステップＳ３）。この際には、記憶制御部２１ｂは、複数の被写体ＳのＲＦタグＳＴから情報を受信している場合には、これらすべての情報を含む統合画像データ３７を記憶媒体３６に記憶させる。
このようにして、デジタルカメラ２には、被写体を含む画像データと、各被写体に関する関連情報、外観特徴情報及び開示規定情報とを容易かつ適切に収集して記憶することができる。
【００６２】
図１２は、本発明の第１実施形態に係るプリンタの画像形成処理を説明するフローチャートである。なお、画像形成処理を開始する前に、プリンタ４は、通信Ｉ／Ｆ部５１を介して、統合画像データ３７を記憶しているデジタルカメラ２と通信可能に接続されているものとする。
まず、プリンタ４において、通信制御部５０ａが、通信Ｉ／Ｆ部５１を介して、接続されているデジタルカメラ２に統合画像データ３７の要求を行い、デジタルカメラ２の記憶媒体３６に記憶されている統合画像データ３７を通信Ｉ／Ｆ部５１を介して受信し、この統合画像データ３７をＲＡＭ５３に記憶させる（ステップＳ１０）。
【００６３】
次いで、検出部５０ｂがＲＡＭ５３に記憶されている統合画像データ３７から未処理の被写体についての外観特徴情報を取得し（ステップＳ１１）、当該外観特徴情報に基づいて統合画像データ３７の画像データが示す画像中における被写体の位置を検出する被写体検出処理を行う（ステップＳ１２）。
そして、検出部５０ｂは、画像中の被写体の位置を検出したか否かを判定し（ステップＳ１３）、その結果、被写体があることを検出した場合には、当該被写体の画像中の位置をＲＡＭ５３に記憶する（ステップＳ１４）。次いで、関連情報検出部５０ｃが検出した被写体の関連情報を統合画像データ３７から検出して、位置と対応付けてＲＡＭ５３に記憶する（ステップＳ１５）。なお、被写体の位置が検出できない場合には、当該被写体が画像中に存在していないことを意味しているので、何もせずに次のステップＳ１６に進む。
【００６４】
次いで、検出部５０ｂは、統合画像データ３７に未処理の被写体についての外観特徴情報があるか否かを判定し（ステップＳ１６）、未処理の被写体についての外観特徴情報がある場合には、上記同様の処理（ステップＳ１１〜Ｓ１５）を実行する。
一方、すべての被写体の外観特徴情報について処理を行った場合には、印刷制御部５０ｄが、ＲＡＭ５３に格納された統合画像データ３７の画像データをＣＭＹＫラスタイメージデータに変換し、当該データに基づいて、機構制御部５５を制御することにより、印刷機構部５７に用紙Ｐへ画像を形成させる（ステップＳ１７）。
【００６５】
次いで、印刷制御部５０ｄは、機構制御部５５を制御することにより、ＲＦタグ機構部５８のＲＦタグ付加部６５に、検出部５０ｂにより検出されてＲＡＭ５３に格納されている被写体の位置の１つに対応する用紙Ｐ上の位置にＲＦタグＴを付加させる（ステップＳ１８）とともに、ＲＦタグ機構部５８のリーダ・ライタ部６６に被写体の位置と対応付けられて記憶されている当該被写体に関する関連情報をＲＦタグＴへ書き込ませる（ステップＳ１９）。
印刷制御部５０ｄは、画像中に検出された被写体のすべての位置へのＲＦタグＴの付加を終了したか否かを判定し(ステップＳ２０)、終了していないと判定した場合には、上記処理ステップＳ１８〜Ｓ１９の処理を繰り返し行って、検出したすべての被写体の位置にＲＦタグＴを付加するとともに、被写体の関連情報を書き込ませる一方、終了していると判定した場合には、そのまま処理を終了する。
このようにして、画像形成処理において、用紙Ｐに形成された画像の被写体の位置にＲＦタグＴを付加することができ、当該ＲＦタグＴにその位置の被写体の関連情報を適切に書き込むことができる。
【００６６】
図１３は、本発明の第１実施形態に係る携帯電話機の表示処理を説明するフローチャートである。
携帯電話機５において、用紙Ｐに形成された画像の被写体についての関連情報を表示させる指示を開始するための入力装置９２のキーが利用者により押下されると、撮像制御部８１ａは、撮像処理部８８により画像データを生成させ、当該画像データの画像を表示処理部８６を介してＬＣＤ９３に表示させる（ステップＳ２１）。なお、この際には、利用者は、関連情報を表示させたい被写体の画像がＬＣＤ９３に表示されるように携帯電話機５の位置を調整する必要がある。
そして、ＬＣＤ９３に表示させている被写体についての関連情報を表示させる指示のための入力装置９２のキーが利用者により押下されると、当該表示させている被写体についての関連情報を表示させる指定として受付け（ステップＳ２２）、受信制御部８１ｂは、リーダ部８７により当該被写体の位置に付加されているＲＦタグＴから図８（１）に示す被写体データ６７を受信させる（ステップＳ２３）。
【００６７】
次いで、表示制御部８１ｃは、入力装置９２による利用者の操作により、パスワード入力を受け付け（ステップＳ２４）、当該パスワードによる認証処理、すなわち、入力されたパスワードが所定のパスワードであるか否かを判定する（ステップＳ２５）。この結果、パスワードが所定のパスワードである、すなわち、認証ＯＫであると判定した場合には、関連情報のすべての内容を開示してもよいことを意味するので、表示制御部８１ｃは、ＲＦタグＴから受信した関連情報のすべての内容をＬＣＤ９３に表示させる（ステップＳ２６）。これにより、ＬＣＤ９３には、利用者が指定した被写体に関する関連情報が表示される。このため、利用者は、被写体の氏名、住所、電話番号等を容易に把握することができる。
【００６８】
一方、認証ＯＫでない場合には（ステップＳ２５のＮＯ）、ＲＦタグＴから取得した開示規定情報の開示レベルが何であるかを検出する（ステップＳ２７）。
この結果、レベル１である場合には、関連情報のすべての内容を表示してもよいことを意味しているので、表示制御部８１ｃは、ＲＦタグＴから受信した関連情報のすべての内容をＬＣＤ９３に表示させ（ステップＳ２８）、レベル２である場合には、関連情報の一部の内容、本実施形態では、名前のみを開示可能であることを示しているので、表示制御部８１ｃは、ＲＦタグＴから受信した関連情報の中の名前のみをＬＣＤ９３に表示させる（ステップＳ２９）。これによって、利用者は被写体の一部の情報を把握することができる。また、被写体に関する関連情報のうちの、被写体の人物が開示したくない情報については、適切に開示されないようにすることができる。
なお、レベル３にある場合には、何も表示せずに処理を終了する。このため、被写体の人物が関連情報を全く開示したくない場合には、適切に開示されないようにすることができる。
【００６９】
次に、本発明の第２実施形態に係る被写体情報取得表示システムについて説明する。ここでは、第１実施形態に係る被写体情報取得表示システムとの相違する点を中心に説明する。なお、第２実施形態においては、第１実施形態と対応する部分については、同一の符号を用いて説明する。
第２実施形態に係る被写体情報取得表示システム１は、プリンタ４において、被写体の画像中の位置を検出せずに、用紙Ｐに１つのＲＦタグＴを付加させて、当該ＲＦタグＴに複数の被写体のデータを書き込むようにし、携帯電話機５において、ＲＦタグＴのデータを用いて被写体を特定して、被写体の関連情報を表示するようにしたものである。
第２実施形態に係るプリンタ４は、図７に示す第１実施形態のプリンタ４の印刷制御部５０ｄにおいて、機構制御部５５を制御することにより、ＲＦタグ機構部５８のリーダ・ライタ部６６にＲＦタグＴへ図８（２）に示す被写体データ９６を書き込ませる機能を有するようにしたものである。なお、書き込ませるデータは、ＲＡＭ５３に格納された統合画像データ３７から取得される。
図８（２）に示すように、用紙Ｐに付加されるＲＦタグＴには、画像中の各被写体についての特定可能情報の一例としての外観特徴情報９７ａ、９７ｂ・・・と、関連情報９８ａ、９８ｂ・・・と、開示規定情報９９ａ、９９ｂ・・・とを含む被写体データ９６が書き込まれる。
【００７０】
図１４は、本発明の第２実施形態に係る携帯電話機の機能構成図である。
第２実施形態に係る携帯電話機５は、第１実施形態に係る携帯電話機５のＣＰＵ８１において、新たに、対象情報受付手段の一例としての受付部８１ｅと、受信制御部８１ｆと、表示検出手段の一例としての検出部８１ｇとを構成するようにしたものである。
受付部８１ｅは、携帯電話機５の利用者から関連情報を表示させる対象となる被写体を特定可能な表示対象情報を受け付ける。本実施形態では、受付部８１ｅは、入力装置９２の所定のキーが利用者により押下された場合に、撮像処理部８８により生成された画像データをＲＡＭ８３に記憶させ、この画像データを表示対象情報として受け付ける。
【００７１】
受信制御部８１ｆは、入力装置９２の所定のキーが利用者により押下された場合に、リーダ部８７によりＲＦタグＴから被写体データ９６を受信させてＲＡＭ８３に記憶させる。
検出部８１ｇは、受付部８１ｅによりＲＡＭ８３に記憶された画像データと、ＲＡＭ８３に記憶された各被写体の外観特徴情報とに基づいて、画像データがどの被写体であるかを検出し、検出した被写体についての関連情報及び開示規定情報を検出する。本実施形態では、検出部８１ｇは、画像データと外観特徴情報の顔データとのマッチングにより被写体を検出する。すなわち、検出部８１ｇは、画像データと各顔データとの相関度を検出し、相関度が最も高い被写体を検出する。
【００７２】
図１５は、本発明の第２実施形態に係るプリンタの画像形成処理を説明するフローチャートである。なお、同図においては、図１２に示す第１実施形態に係る画像形成処理と同一部分については同一符号を付すこととし、説明を省略する。
プリンタ４において、印刷制御部５０ｄは、機構制御部５５を制御することにより、ＲＦタグ機構部５８のＲＦタグ付加部６５に、用紙Ｐ上の位置に１つのＲＦタグＴを付加させる（ステップＳ３１）とともに、ＲＦタグ機構部５８のリーダ・ライタ部６６に被写体データ９６をＲＦタグＴへ書き込ませる（ステップＳ３２）。
この処理によって、用紙Ｐには、図４（４）に示すように、用紙Ｐに１つのＲＦタグＴを付加して、当該ＲＦタグＴに被写体データ９６を書き込むことができる。
【００７３】
図１６は、本発明の第２実施形態に係る携帯電話機の表示処理を説明するフローチャートである。なお、同図においては、図１３に示す第１実施形態に係る表示処理と同一部分については同一符号を付すこととし、説明を省略する。
携帯電話機５において、用紙Ｐに形成された画像の被写体についての関連情報を表示させる指示を開始するための入力装置９２のキーが利用者により押下されると、受付部８１ｅは、撮像処理部８８により画像データを生成させ、表示処理部８６を介して当該画像データの画像をＬＣＤ９３に表示させる（ステップＳ４１）。
ここで、この際には、利用者はＬＣＤ９３に関連情報を表示させたい被写体の画像が表示されるように携帯電話機５の位置を調整する必要がある。
【００７４】
そして、ＬＣＤ９３に表示させている被写体についての関連情報を表示させるための入力装置９２のキーが利用者により押下されると、受付部８１ｅは、当該表示させている被写体についての関連情報を表示させるものとして把握し、撮像処理部８８により生成された画像データをＲＡＭ８３に記憶させる（ステップＳ４２）。
次いで、受信制御部８１ｆは、リーダ部８７によりＲＦタグＴからの被写体データ９６を受信させてＲＡＭ８３に記憶させる（ステップＳ４３）。
そして、検出部８１ｇは、受付部８１ｅによりＲＡＭ８３に記憶された画像データと、ＲＡＭ８３に記憶された被写体データ９６中の各被写体の外観特徴情報とに基づいて、画像データがどの被写体であるかを検出し、検出した被写体についての関連情報及び開示規定情報を検出する（ステップＳ４４）。
この表示処理によると、携帯電話機５において、利用者が指定した被写体を特定して、当該被写体に関する関連情報を適切に表示させることができる。
【００７５】
次に、本発明の第３実施形態に係る被写体情報取得表示システムについて説明する。ここでは、第１実施形態及び第２実施形態に係る被写体情報取得表示システムとの相違する点を中心に説明する。なお、第３実施形態においては、第１実施形態と対応する部分については、同一の符号を用いて説明する。
第３実施形態に係る被写体情報取得表示システムは、プリンタ４において、被写体の画像中の位置を検出して、用紙Ｐに１つのＲＦタグＴを付加させて、当該ＲＦタグＴに複数の被写体の位置情報を含む被写体データを書き込むようにし、携帯電話機５において、ＲＦタグＴの位置情報を用いて被写体を特定して、被写体の関連情報を表示するようにしたものである。
【００７６】
第３実施形態のプリンタ４は、図７に示す第１実施形態のプリンタ４の検出部５０ｂを、ＲＡＭ５３に格納された統合画像データ３７中の画像データが示す画像中における被写体の位置を外観特徴情報に基づいて検出し、当該位置の情報（位置情報）と、統合画像データ３７の関連情報及び開示規定情報を対応付けた、図８（３）に示す被写体データ１００を生成してＲＡＭ５３に記憶するようにしたものである。ここで、位置情報としては、例えば、画像中の所定の点を基準とした座標であってもよい。なお、書き込ませるデータの一部は、ＲＡＭ５３に格納された統合画像データ３７から取得される。
図８（３）に示すように、被写体データ１００は、画像中の各被写体についての特定可能情報の一例としての位置情報１０１ａ、１０１ｂ・・・と、関連情報１０２ａ、１０２ｂ・・・と、開示規定情報１０３ａ、１０３ｂ・・・とを含む。
【００７７】
また、第３実施形態に係るプリンタ４は、図７に示す第１実施形態のプリンタ４の印刷制御部５０ｄにおいて、機構制御部５５を制御することにより、ＲＦタグ機構部５８のリーダ・ライタ部６６にＲＦタグＴへ図８（３）に示す被写体データ１００を書き込ませる機能を有するようにしたものである。
【００７８】
図１７は、本発明の第３実施形態に係るプリンタの画像形成処理を説明するフローチャートである。なお、同図においては、図１２及び図１５における表示処理と同一部分については同一符号を付すこととし、説明を省略する。
プリンタ４において、検出部５０ｂは、画像中の被写体の位置を検出したか否かを判定し（ステップＳ１３）、その結果、被写体があることを検出した場合には、当該被写体の画像中の位置情報と、統合画像データ３７の関連情報及び開示規定情報とを対応付けた、図８（３）に示す被写体データ１００を生成してＲＡＭ５３に記憶する（ステップＳ５１）。
この処理により、用紙Ｐには、図４（４）に示すように、用紙Ｐに１つのＲＦタグＴを付加して、当該ＲＦタグＴに当該被写体の画像中の位置情報と、関連情報と、開示規定情報とを書き込むことができる。
【００７９】
次に、第３実施形態に係る携帯電話機５を説明する。
携帯電話機５は、図１４に示す第２実施形態に係る携帯電話機５のＣＰＵ８１により構成される受付部８１ｅ、受信制御部８１ｆ、検出部８１ｇを以下のようにしたものである。
すなわち、受付部８１ｅは、入力装置９２のキー操作によって利用者から対象の被写体を特定する表示対象情報の入力を受け付ける。第３実施形態においては、表示対象情報として、画像中の複数の被写体の関係を示す位置、例えば、右から何番目の被写体であるかを示す順番を受け付けている。
【００８０】
また、受信制御部８１ｆは、入力装置９２の所定のキーが利用者により押下された場合に、リーダ部８７によりＲＦタグＴから被写体データ１００を受信させてＲＡＭ８３に記憶させる。
検出部８１ｇは、受付部８１ｅにより受け付けられた順番と、ＲＡＭ８３に記憶された各被写体の位置情報とに基づいて、順番に対応する被写体を検出し、検出した被写体についての関連情報及び開示規定情報を検出する。なお、位置情報が座標であれば、複数の被写体の各座標値により、各被写体の順番について容易に把握できる。
【００８１】
次に、第３実施形態に係る携帯電話機の表示処理を説明する。なお、図１６に示す第２実施形態に係る表示処理を参照して異なる処理のみについて説明する。
第３実施形態に係る携帯電話機５では、ステップＳ４２において、受付部８１ｅが、入力装置９２のキー操作によって利用者から対象の被写体の右からの順番の入力を受け付ける。
また、ステップＳ４４において、検出部８１ｇが、受付部８１ｅにより受け付けられた順番と、ＲＡＭ８３に記憶された被写体データ１００中の各被写体の位置情報とに基づいて、順番に対応する被写体がどの被写体であるかを特定し、特定した被写体についての関連情報及び開示規定情報を検出する。
この表示処理によると、携帯電話機５において、利用者が指定した被写体を特定して、当該被写体に関する関連情報を適切に表示させることができる。
【００８２】
次に、本発明の第４実施形態に係る被写体情報取得表示システムについて説明する。ここでは、第１実施形態に係る被写体情報取得表示システムとの相違する点を中心に説明する。なお、第４実施形態においては、第１実施形態と対応する部分については、同一の符号を用いて説明する。
第４実施形態に係る被写体情報取得表示システム１は、デジタルカメラ２において、被写体の画像中の位置を検出し、当該位置を含む統合画像データをプリンタ４に送信させるようにしたものである。
【００８３】
図１８は、本発明の第４実施形態に係るデジタルカメラの機能構成図である。
第４実施形態に係るデジタルカメラ２は、図３に示す第１実施形態に係るデジタルカメラ２のＣＰＵ２１において、新たに、被写体検出部２１ｆと、記憶制御部２１ｇとを構成するようにしたものである。
被写体検出部２１ｆは、撮像処理部２８により生成された画像データと、リーダ部２７によりＲＦタグＳＴから受信された被写体の外観特徴情報に基づいて、画像中における各被写体の位置を検出する。本実施形態では、検出部２１ｆは、顔データと、画像データとのマッチングにより被写体の位置を検出する。すなわち、検出部２１ｆは、顔データと、画像データの各領域との相関度を検出し、相関度が所定以上の位置を被写体の位置と検出する。
【００８４】
記憶制御部２１ｇは、撮像処理部２８により生成された画像データと、検出部２１ｆにより検出された被写体の位置情報と、リーダ部２７により受信されたＲＦタグＳＴからの関連情報及び開示規定情報とを対応付けた図６（２）に示す統合画像データ１０４を記憶媒体Ｉ／Ｆ部２９を介して記憶媒体３６に記憶させる。
統合画像データ１０４は、図６（２）に示すように、画像データ３８を有するとともに、被写体検出部２１ｆにより検出された各被写体の位置情報１０５ａ、１０５ｂ、・・・、関連情報４０ａ、４０ｂ・・・、及び開示規定情報４１ａ、４１ｂ、・・・を有する。
【００８５】
図１９は、本発明の第４実施形態に係るデジタルカメラの撮像処理を説明するフローチャートである。
デジタルカメラ２において、撮像制御部２１ａは、入力装置３２のシャッターボタンがデジタルカメラ２の利用者により押下された場合に、撮像処理部２８により、光学系３４及びＣＣＤ３５によって生成された信号から被写体を含む外界についての画像データを生成させてＲＡＭ２３に記憶させ（ステップＳ６１）、読込制御部２１ｂは、リーダ部２７により被写体ＳのＲＦタグＳＴから外観特徴情報、関連情報、開示規定情報を受信させて、ＲＡＭ２３に記憶させる（ステップＳ６２）。
【００８６】
次いで、被写体検出部２１ｆがＲＡＭ２３に記憶されている未処理の被写体についての外観特徴情報を取得し（ステップＳ６３）、当該外観特徴情報に基づいてＲＡＭ２３の画像データが示す画像中における被写体の位置を検出する被写体検出処理を行う（ステップＳ６４）。
そして、被写体検出部２１ｆは、画像中の被写体の位置を検出したか否かを判定し（ステップＳ６５）、その結果、被写体があることを検出した場合には、記憶制御部２１ｇは、当該被写体の画像中の位置と、当該被写体の関連情報及び開示規定情報とを対応付けてＲＡＭ２３に格納する（ステップＳ６６）。なお、被写体の位置が検出できない場合には、当該被写体が画像中に存在していないことを意味しているので、何もせずに次のステップＳ６７に進む。
【００８７】
次いで、被写体検出部２１ｆは、ＲＡＭ２３に未処理の被写体についての外観特徴情報があるか否かを判定し（ステップＳ６７）、未処理の被写体についての外観特徴情報がある場合には、上記同様の処理（ステップＳ６３〜Ｓ６６）を実行する。
一方、すべての被写体の外観特徴情報について処理を行った場合には、記憶制御部２１ｇは、撮像処理部２８により生成された画像データと、ＲＡＭ２３に記憶されている被写体の位置情報、関連情報及び開示規定情報とを、統合画像データ１０４として記憶媒体Ｉ／Ｆ部２９を介して記憶媒体３６に記憶させる（ステップＳ６８）。
上記した処理によって、デジタルカメラ２において、画像データと、画像中の被写体の位置と、当該被写体の関連情報とを対応付けたデータを容易に作成することができる。
【００８８】
以上、本発明を複数の実施形態に基づいて説明したが、本発明は上述した実施の形態に限られず、他の様々な態様に適用可能である。
【００８９】
例えば、上記した実施形態においては、被写体として人物の例を示していたが、被写体は、これに限られず、風景の構成物であってもよい。
風景の構成物を被写体としてデジタルカメラ２で撮影する場合について以下に説明する。
図２０は、本発明の変形例における位置関係、表示状態及び印刷状態を説明する図である。図２０（１）は、デジタルカメラ２と被写体の一例である風景の位置関係の一例を示している。
同図に示すように、風景である被写体Ｓｄ、被写体Ｓｅ、被写体Ｓｆが存在している。ここで、被写体Ｓｄは、山であり、被写体Ｓｅは、橋であり、被写体Ｓｆは、川である。また、各被写体Ｓｄ、Ｓｅ、Ｓｆ等の風景についての関連情報を格納したＲＦタグＳＴが設置されている。そして、ＲＦタグＳＴの通信可能範囲ＰＡは、風景を撮影する際のお勧め範囲を含むようになっている。
【００９０】
したがって、一般的には、デジタルカメラ２により風景を撮影する際には、お勧め範囲で撮影されるので、同図に示すように、通信可能範囲ＰＡ内にデジタルカメラ２が位置することとなる。図２０（１）には、お勧め範囲内でデジタルカメラ２により撮影した画像データによる画像を示す。
【００９１】
ここで、デジタルカメラ２によりＲＦタグＳＴから関連情報等を受信することにより、上記した各実施形態で示したように、例えば、図２０（３）に示すように、各被写体の位置に対応するようにＲＦタグＴを付加し、当該ＲＦタグＴに各被写体Ｓｄ、Ｓｅ、Ｓｆの関連情報等を格納するようにすることもでき、また、図２０（４）に示すように、用紙Ｐに付加された１つのＲＦタグＴに複数の被写体Ｓｄ、Ｓｅ、Ｓｆの関連情報等を格納するようにすることもできる。
【００９２】
図２１は、本発明の変形例に係る被写体用のＲＦタグの記憶内容を示す図である。
図２１は、被写体が風景である場合におけるＲＦタグＳＴの記憶内容を示しており、各被写体毎の外観特徴情報１１０ｄ、１１０ｅ、１１０ｆ・・・と、関連情報１１１ｄ、１１１ｅ、１１１ｆ・・・とを記憶している。
外部特徴情報１１０ｄ、１１０ｅ、１１０ｆ・・・は、被写体について外部から認識可能な特徴の情報（外観特徴情報）である。本実施形態では、被写体である山、橋、川等の画像データを用いている。なお、外部特徴情報は、例えば、被写体の輪郭情報であってもよい。また、例えば、画像データ、輪郭情報等の観察する方向によって変化する可能性のある情報については、複数の方向から観察される情報を用意するようにしてもよい。また、画像データ、輪郭情報等の中で時期によって変化する可能性のある情報については、複数の時期における情報を用意するようにしてもよい。このようにすると、画像中における被写体の向きや、撮影した時期に係らず、適切に被写体を検出することができる。
【００９３】
関連情報１１１ｄ、１１１ｅ、１１１ｆ・・・は、被写体に関する情報である。本実施形態では、関連情報１１１ｄ、１１１ｅ、１１１ｆ・・・等として、被写体の名称１１２ｄ等、説明１１３ｄ等を用いている。例えば、被写体Ｓｄであれば、名称として”ＸＸ山”、説明として、”標高  ＸＸＸＸメートル”等が格納される。
【００９４】
また、上記実施形態では、各色毎に感光体を備えるようにした、いわゆるタンデム方式のレーザープリンタを用いて説明をしていたが、例えば、１つの感光体を各色で共用するようにしたタンデム方式以外のレーザープリンタであってもよい。
また、上記実施形態では、感光体から中間転写体を介して用紙にトナー像を転写するレーザープリンタを用いて説明したが、本発明はこれに限られず、感光体から直接用紙にトナー像を転写するレーザープリンタに適用するようにしてもよい。
また、上記実施形態では、画像形成システムの一例として、レーザープリンタを用いていたが、本発明はこれに限られず、例えば、ＬＥＤから発生する光を利用した電子写真方式のプリンタ、インクジェットプリンタ、熱転写プリンタ等の他のプリンタであってもよい。
また、上記実施形態では、画像形成システム３は、プリンタ４のみの装置として構成されていたが、例えば、プリンタと、ＰＣ等とによって構成し、少なくとも一部の機能について、ＰＣによって実行するようにしてもよく、例えば、ＰＣに検出部５０ｂ及び関連情報検出部５０ｃを備えるようし、その結果に基づいてプリンタでＲＦタグＴの付加及びＲＦタグＴへの情報の書込みを行うようにしてもよい。
【００９５】
また、上記実施形態では、用紙ＰにＲＦタグＴを付加した後に、ＲＦタグＴへのデータの書込みをするようにしていたが、本発明はこれに限られず、ＲＦタグＴへのデータの書込みを行った後にＲＦタグＴを用紙Ｐに付加するようにしてもよい。
また、上記実施形態では、用紙Ｐにトナーを定着させた後にＲＦタグＴを付加するようにしていたが、トナー定着前にＲＦタグＴを付加するようにしてもよい。
また、上記実施形態では、用紙ＰにＲＦタグＴを付加するようにしていたが、本発明はこれに限られず、例えば、ＲＦタグＴが予め付加された用紙Ｐを用いるようにしてもよい。
【００９６】
また、上記実施形態では、ＲＦタグＳＴ内の関連情報として、例えば、名前等の被写体に関する直接的に把握可能な内容（直接内容）をそのまま記憶するようにしていたが、本発明はこれに限られず、例えば、被写体の直接内容が格納されているＵＲＬ（Uniform Resource Locator）等の間接内容を格納するようにしてもよい。この場合には、用紙用のＲＦタグＴには、当該間接内容を格納するようにしてもよく、また、間接内容に基づいて直接内容を取得して格納するようにしてもよい。
【符号の説明】
【００９７】
１  被写体情報取得表示システム、２  デジタルカメラ、３  被写体情報表示システム、４  プリンタ、５  携帯電話機、２１  ＣＰＵ、２１ａ  撮像制御部、２１ｂ  読込制御部、２１ｃ  記憶制御部、２１ｄ  表示制御部、２１ｅ  通信制御部、２２  ＲＯＭ、２３  ＲＡＭ、２４  ＥＥＰＲＯＭ、２５  入力Ｉ／Ｆ部、２６  表示処理部、２７  リーダ部、２８  撮像処理部、２９  記憶媒体Ｉ／Ｆ部、３０  ＵＳＢＩ／Ｆ部、３１  バス、３２  入力装置、３３  ＬＣＤ、３４  光学系、３５  ＣＣＤ、３６  記憶媒体、Ｐ  用紙、Ｓ  被写体、ＳＴ、Ｔ  ＲＦタグ。
【図１】
2010119125.tif 000003
【図２】
2010119125.tif 000004
【図３】
2010119125.tif 000005
【図４】
2010119125.tif 000006
【図５】
2010119125.tif 000007
【図６】
2010119125.tif 000008
【図７】
2010119125.tif 000009
【図８】
2010119125.tif 000010
【図９】
2010119125.tif 000011
【図１０】
2010119125.tif 000012
【図１１】
2010119125.tif 000013
【図１２】
2010119125.tif 000014
【図１３】
2010119125.tif 000015
【図１４】
2010119125.tif 000016
【図１５】
2010119125.tif 000017
【図１６】
2010119125.tif 000018
【図１７】
2010119125.tif 000019
【図１８】
2010119125.tif 000020
【図１９】
2010119125.tif 000021
【図２０】
2010119125.tif 000022
【図２１】
2010119125.tif 000023
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
被写体を含む画像を画像データとして撮像する撮像手段と、
前記被写体を撮像する際に、前記被写体に関する関連情報を受信する受信手段と、
前記画像データと前記関連情報とを対応付けて記憶手段に記憶させる記憶制御手段とを有し、
前記受信手段は、前記関連情報とともに、当該関連情報と関連する前記被写体の外観の特徴を示す外観特徴情報と前記関連情報の中の開示可能な内容を規定する開示規定情報とを受信し、
前記記憶制御手段は、前記画像データと、前記関連情報と、前記外観特徴情報と、前記開示規定情報とを対応付けて記憶手段に記憶させることを特徴とする撮像装置。
【請求項２】
前記被写体を含む画像を撮像可能な領域には、当該領域において受信可能なように前記関連情報を送信する送信装置が備えられており、
前記受信手段は、前記送信装置により送信される前記関連情報を受信することを特徴とする請求項１に記載の撮像装置。
【請求項３】
前記被写体の各々は、自被写体に関する関連情報を送信する送信装置を有しており、
前記受信手段は、複数の前記送信装置により送信される前記関連情報を受信することを特徴とする請求項１に記載の撮像装置。
【請求項４】
前記被写体は、人物であり、
前記外観特徴情報は、前記人物の顔に関する外観の特徴情報であることを特徴とする請求項２または請求項３のいずれかに記載の撮像装置。
【請求項５】
被写体を含む画像を撮像して記憶する撮像装置による撮像方法であって、
前記被写体を含む画像を画像データとして撮像する撮像ステップと、
前記被写体を撮像する際に、前記被写体に関する関連情報を受信する受信ステップと、
前記画像データと前記関連情報とを対応付けて記憶手段に記憶させる記憶制御ステップとを有し、
前記受信ステップは、前記関連情報とともに、当該関連情報と関連する前記被写体の外観の特徴を示す外観特徴情報と前記関連情報の中の開示可能な内容を規定する開示規定情報とを受信し、
前記記憶制御ステップは、前記画像データと、前記関連情報と、前記外観特徴情報と、前記開示規定情報とを対応付けて記憶手段に記憶させることを特徴とする撮像方法。